(57)【要約】  靴の中底（１０）は、底板（１１）と、底板（１１）から一体的に起立する複数のブレード（１２−１〜１２−１６）と、底板（１１）の外周に接合されたカバー（１３）と、底板（１１）とカバー（１３）との間に封入された流体（１４）とを有し、底板（１１）のブレード起立面には足裏に相当する形状の第１の凹部（１５）が形成され、当該第１の凹部（１５）内に複数のブレード（１２−１〜１２−１６）が収容されている。これら複数のブレード（１２−１〜１２−１６）を底板（１１）の長手方向と略直交する方向に所定間隔で整列配置し、当該複数のブレード（１２−１〜１２−１６）の一部をつま先に向けて傾斜配置した。
2010023793.tif 000002
【特許請求の範囲】
【請求項１】
底板と、
前記底板から一体的に起立する複数のブレードと、
前記底板の外周に接合されたカバーと、
前記底板と前記カバーとの間に封入された流体とを有し、
前記底板の前記ブレード起立面には足裏に相当する形状の第１の凹部が形成され、当該第１の凹部内に前記複数のブレードが収容された靴の中底において、
前記複数のブレードを前記底板の長手方向と略直交する方向に所定間隔で整列配置し、当該複数のブレードの少なくとも一部をつま先に向けて傾斜配置した
ことを特徴とする靴の中底。
【請求項２】
前記ブレードを前記底板の長手方向の中央から踵まではつま先に向けて傾斜配置し、中央からつま先までは踵に向けて傾斜配置した
ことを特徴とする請求項１に記載の靴の中底。
【請求項３】
前記ブレードを前記底板の長手方向の中央から踵までは当該踵に向けて傾斜配置し、中央からつま先までは当該つま先に向けて傾斜配置した
ことを特徴とする請求項１に記載の靴の中底。
【請求項４】
前記ブレードの夫々の長手方向の中途部に前記流体が移動可能な溝を形成した
ことを特徴とする請求項１〜３のいずれかに記載の靴の中底。
【請求項５】
前記第１の凹部の内周側に前記底板から一体的に起立する仕切り壁を設けた
ことを特徴とする請求項１に記載の靴の中底。
【請求項６】
前記底板の外周で前記カバーとの接合部に肉盛り部を設けた
ことを特徴とする請求項１に記載の靴の中底。
【請求項７】
前記肉盛り部を用いて前記底板と前記カバーとを略均一の幅で溶着した
ことを特徴とする請求項６に記載の靴の中底。
【請求項８】
前記第１の凹部とその外周部とは段差を有し、前記カバーに形成された第２の凹部とその外周部とは段差を有し、前記第１の凹部と前記第２の凹部とは対向し、前記第１の凹部の外周部と前記第２の凹部の外周部とを溶着した
ことを特徴とする請求項１に記載の靴の中底。
【請求項９】
前記第１の凹部とその外周部との境界、及び前記第２の凹部とその外周部との境界、には傾斜面が形成されている
ことを特徴とする請求項８に記載の靴の中底。
【請求項１０】
前記流体はプロピレン・グリコールである
ことを特徴とする請求項１又は４に記載の靴の中底。
【請求項１１】
履物台に配置され、底板と、前記底板から一体的に起立する複数のブレードと、前記底板の外周に接合されたカバーと、前記底板と前記カバーとの間に封入された流体とを有し、前記底板の前記ブレード起立面には足裏に相当する形状の第１の凹部が形成され、当該第１の凹部内に収容された前記複数のブレードを、前記底板の長手方向と略直交する方向に所定間隔で整列配置し、当該複数のブレードの少なくとも一部をつま先に向けて傾斜配置してなる、履物の中底を備えている
ことを特徴とする履物。
【請求項１２】
前記履物台は、本底と中間底を有し、
前記中間底の上に、順次前記履物の中底と中敷きを挿抜自在に配置した
ことを特徴とする請求項１１に記載の履物。
【請求項１３】
前記履物台は、本底を有し、
前記履物の中底の上に中敷きを一体に固定して、前記本底の上に固定した
ことを特徴とする請求項１１に記載の履物。
【請求項１４】
前記履物台は、本底と中間底を有し、
順次前記中間底と前記履物の中底、及び中敷きを一体的に固定し、前記本底の上に固定した
ことを特徴とする請求項１１に記載の履物。
【発明の詳細な説明】
【技術分野】
【０００１】
本発明は、安定感のある快適な歩行感をもたらしながら歩行時の衝撃を吸収し、または立位における足・膝等への負担を軽減するとともに、足裏を刺激してマッサージし得る靴の中底及び履物に関する。
【背景技術】
【０００２】
歩行動作において、踵（かかと）が地面に着地するときに踵に加わる衝撃（力）は体重の約１．２５倍、また、ジョギングでは約３倍にもなるといわれている。この衝撃は踵、くるぶし、膝、さらに腰へと伝達される。【０００３】
従来、靴の中底として、踵が地面に着地する際等に加わる衝撃を吸収するため、弾性体を用いたものが知られている。この弾性体は、踵が地面に着地する際等に地面と接する部分の衝撃を吸収してくれる。【０００４】
そこで、本件出願人は歩行時に足裏が地面に着地する際に加わる衝撃を分散吸収するとともに、足裏を刺激してマッサージする効果のある技術を提案してきた（例えば、特許文献１参照）。【０００５】
この特許文献１によれば、底板とカバーとの間に注入された流体により、足裏が地面に着地する際に加わる衝撃を分散吸収することができ、膝、腰などへの負担を軽減することができる旨が開示されている。また、複数のブレードを踵側に向けて一様に傾斜させることで、流体の円滑な移動により足裏への衝撃を分散吸収する効果とブレードによるマッサージ効果も記載されている。【０００６】
ところで、人が歩行する際、まず踵で地面に着地し、次にこの踵から足指の付け根までを徐々に地面に着地させ、最後に足指で地面を蹴る一連の動作によって行われる。この一連の動作を１サイクルとし、この１サイクルが連続的に繰り返される。【０００７】
これまで、歩行の際の１サイクルの中で、踵が地面に着地したときが、最も衝撃が加わる瞬間と考えられてきた。しかし、後述する図６のシミュレーションで、踵が地面に着地したときに加わる衝撃に対して、足指で地面を蹴り上げるときの衝撃の方が大きいことが見出された。【０００８】
しかし、前述した特許文献１によれば、複数のブレードを一様に踵側に傾斜させているため、足指で地面を蹴り上げるときの流体の移動方向と同方向にブレードを傾斜させているので、つま先側の流体が踵側に高速度で移動してしまい、踵側への衝撃が増大するおそれがある。
【特許文献１】特許第１９５９７１２号公報（特公平６−９１８４９号公報）
【発明の開示】
【０００９】
本発明は、歩行中に足裏に加わる衝撃力を緩和して歩行中の膝等への負担を軽減しブレードによる足裏へのマッサージを得る靴の中底及び履物を提供する。
本発明の靴の中底は、底板と、前記底板から一体的に起立する複数のブレードと、前記底板の外周に接合されたカバーと、前記底板と前記カバーとの間に封入された流体とを有し、前記底板の前記ブレード起立面には足裏に相当する形状の第１の凹部が形成され、当該第１の凹部内に前記複数のブレードが収容された靴の中底において、
前記複数のブレードを前記底板の長手方向と略直交する方向に所定間隔で整列配置し、当該複数のブレードの少なくとも一部をつま先に向けて傾斜配置したことを特徴とする。
【００１０】
また、本発明の履物は、履物台に配置され、底板と、前記底板から一体的に起立する複数のブレードと、前記底板の外周に接合されたカバーと、前記底板と前記カバーとの間に封入された流体とを有し、前記底板の前記ブレード起立面には足裏に相当する形状の第１の凹部が形成され、当該第１の凹部内に収容された前記複数のブレードを、前記底板の長手方向と略直交する方向に所定間隔で整列配置し、当該複数のブレードの少なくとも一部をつま先に向けて傾斜配置してなる、履物の中底を備えていることを特徴とする。
【００１１】
本発明によれば、底板に設けた複数のブレードにより、歩行時の流体のコントロールと足裏のマッサージを行うことができる靴の中底及び履物を提供することができる。
【図面の簡単な説明】
【００１２】
【図１】実施の形態１における靴の中底の外観斜視図である。
【図２】底板の平面図である。
【図３】底板及びカバーを長手方向に切断した断面図である。
【図４】底板及びカバーを長手方向と直交方向に切断した断面図である。
【図５】カバーを図３のＶ方向から見た矢視図である。
【図６】ブレードの全部又は一部をつま先に向けて傾斜させて歩行シミュレーションを行ったときの、足裏に加わる圧力の変化を示す図である。
【図７】実施の形態２における底板及びカバーを長手方向に切断した断面図である。
【図８】実施の形態３における底板及びカバーを長手方向に切断した断面図である。
【図９Ａ】実施の形態４における踵のある紳士靴に、履き口から靴の中底と中敷きを挿入するときの全体斜視図である
【図９Ｂ】紳士靴の履物台と靴の中底、及び中敷きの分解斜視図である。
【図１０Ａ】踵のある婦人靴に履き口から靴の中底と中敷きを挿入するときの全体斜視図である。
【図１０Ｂ】婦人靴の履物台と靴の中底、及び中敷きの分解斜視図である。
【図１１Ａ】実施の形態５における踵のない紳士靴の履物台に靴の中底を一体的に固定した状態の全体斜視図である。
【図１１Ｂ】履物台と靴の中底、及び中敷きの分解斜視図である。
【図１１Ｃ】靴の中底を中敷きで包んで接着剤で止めた状態の裏面図である。
【図１２Ａ】踵のない婦人靴に靴の中底を一体的に固定した状態の全体斜視図である。
【図１２Ｂ】履物台と靴の中底、及び中敷きの分解斜視図である。
【図１２Ｃ】靴の中底を中敷きで包んで接着剤で止めた状態の裏面図である。
【発明を実施するための最良の形態】
【００１３】
［実施の形態１］
以下、図面に基づき本発明の実施の形態を説明する。
図１は、本発明を、靴の中底１０に適用した場合の一部を破断した外観斜視図である。【００１４】
靴の中底１０は、底板１１と、この底板１１の外周に溶着等により接合されたカバー１３と、底板１１とカバー１３との間に封入された流体１４と、底板１１の下面に接合されたシート１８とを有している。【００１５】
底板１１は、塩化ビニル樹脂などの熱可塑性樹脂を素材とし、射出成形等の成形手段により成形される。この底板１１には複数のブレード１２が一体的に設けられているが、その詳細については後述する。底板１１は、溶着面１９を介してカバー１３の溶着面１９’に接合される。なお、底板１１とカバー１３とは同質の熱可塑性の合成樹脂を素材としている。【００１６】
ただし、底板１１とカバー１３とは接合可能であれば別素材であってもかまわない。流体１４は、好ましくは水透過性が低く蒸発し難い特性のもの、かつ流動性が良く腐敗しないものを使用する。この流体１４は踵側の注入口２５から注入される。【００１７】
この流体１４は、寒冷地においても凍結しないように、例えば水等の液体に不凍液を混入させておくのが好ましい。本実施の形態では、この流体１４としてプロピレン・グリコールを用いている。【００１８】
シート１８は、万一流体１４が底板１１を通過した場合にも、この流体１４が外部に漏れないようにして歩行の不快感を低減するために底板１１に接合されるものである。このシート１８も、例えば熱可塑性の合成樹脂が用いられている。なお、このシート１８は流体１４が底板１１を通過するおそれがない場合には、省略することもできる。【００１９】
図２は、底板１１の平面図を示している。
同図に示すように、底板１１の表面には、足裏に相当する形状（相似形状）の第１の凹部１５が形成されている。また、この第１の凹部１５の外周には、内壁１５ａと溶着面１９を介して外周部１６が形成されている。この溶着面１９は肉盛り部２３（図４参照）に形成されている。なお、第１の凹部１５のつま先側の一部は足指の付け根に至っていてもよいが、歩行しやすいように、なるべく足指の付け根に至らないようにするのが望ましい。【００２０】
また、第１の凹部１５の内周側には、底板１１から一体的に起立する仕切り壁１７が第１の凹部１５の内周に沿って連続的に設けられている。この仕切り壁１７については後述する。なお、図２で仕切り壁１７にはハッチングが付されているが、これは他の部分と識別容易にするために付したものである。【００２１】
さらに、第１の凹部１５から一体的に複数のブレード１２−１〜１２−１６が起立配置されている。これら複数のブレード１２は、底板１１の長手方向と略直交する方向に所定間隔で整列配置されている。本実施の形態では、ブレード１２−１〜１２−１６の夫々が略等間隔ｐで踵（かかと）からつま先に亘って整列配置されている。【００２２】
これらのブレード１２は、弾性体という特質からも足裏のツボを適度に刺激するという重要な役割を果たしている。足裏には、身体の健康に関係するいくつものツボが集中していることが知られている。【００２３】
そして、ブレード１２の弾性力と流体１４との共働作用によって足裏に加わる衝撃を吸収し、歩きながら適度にツボを刺激してマッサージするものである。
図３は、底板１１とこれに接合されるカバー１３を長手方向に切断した断面図である。【００２４】
同図３に示すように、複数のブレード１２−１〜１２−１６は、少なくとも一部がつま先側に向けて一様に傾斜配置されている。本実施の形態では、全ての（１６枚の）ブレード１２−１〜１２−１６がつま先側に向けて傾斜配置された状態を示している。【００２５】
すなわち、全てのブレード１２−１〜１２−１６が底板１１の長手方向と略直交する方向ｙ−ｙに対し角度θ（略４５°）でつま先側に一様に傾斜配置されている。なお、本実施の形態では、この角度θとして略４５°を採用しているが、この角度に限定されるものではない。【００２６】
この図３において、第１の凹部１５とその外周の外周部１６との間には段差ｈ１が設けられている。また、底板１１の外周部１６でカバー１３との接合部（溶着部）には肉盛り部２３が設けられている。この肉盛り部２３は溶着面１９を有している。さらに、第１の凹部１５とその外周部１６との境界には傾斜状の内壁（傾斜面）１５ａ及び外壁（傾斜面）１５ｂが形成されている。なお、段差ｈ１を設けたのは、底板１１のたわみを防止するためである。【００２７】
また、第１の凹部１５に対向してカバー１３には第２の凹部２１が形成されている。この第２の凹部２１とその外周の外周部２２との間には段差ｈ２が設けられている。また、第２の凹部２１とその外周部２２の境界には傾斜状の内壁（傾斜面）２１ａ及び外壁（傾斜面）２１ｂが形成されている。さらに、外周部２２には、底板１１の溶着面１９に対向して溶着面１９’（溶着予定面）が形成されている。【００２８】
本実施の形態では、第１の凹部１５の外周部１６（の溶着面１９）と第２の凹部２１の外周部２２（の溶着面１９’）とを溶着したものである。また、段差ｈ２を設けたのは、カバー１３のたわみを防止するためである。【００２９】
こうして、底板１１の溶着面１９とカバー１３の溶着面１９’とが溶着されて、底板１１とカバー１３とが接合される。なお、底板１１とカバー１３とを溶着する際、その溶着部分が溶けて厚みが収縮するため、底板１１に肉厚の肉盛り部２３が設けられている。【００３０】
肉盛り部２３の幅（横幅）は溶着面１９の幅よりも若干幅広に形成されている。これは、肉盛り部２３の幅が溶着面１９の幅よりも小さいと、溶着部分において底板１１が水漏れするおそれがあるためである。【００３１】
こうして、底板１１とカバー１３とを溶着して袋状に密封し、その内部に前述した流体１４を封入する。
なお、注入口２５（図１参照）は溶着しないで残しておく。また、溶着面１９の外周側は非溶着の状態のまま維持される。【００３２】
また、本実施の形態では、第１の凹部１５とその外周部１６との境界には傾斜面１５ａ、１５ｂが形成され、第２の凹部２１とその外周部２２との境界には傾斜面２１ａ、２１ｂが形成されているとして説明したが、これらの傾斜面を円弧面や湾曲面としてもよい。【００３３】
ところで、人の足裏は、例えば靴底に１個の小石が入っていても不快感を感じるほど極めて敏感なので、肉盛り部２３を溶着した後も、特にカバー１３の溶着面１９’にあまり凹凸が生じないようにして、平坦な面とすることが望ましい。【００３４】
本実施の形態では、溶着面１９、１９’が略均一の幅で溶着されることで、接着強度が均一になり水漏れするおそれがなく、かつ靴の中底１０の全体がねじれなどを起こさず、平面状態を維持することができる。また、本実施の形態では肉盛り部２３を均一の幅に形成している。これは、溶着面１９、１９’を略均一の幅で溶着するためである。また、溶着面１９の外周側の非溶着面には、数箇所にスポット溶着が施され、底板１１とカバー１３との間に砂やゴミが入り込むのを防止している。【００３５】
図４は、底板１１及びカバー１３を底板１１の長手方向と略直交方向に切断した断面図である。
同図４に示すように、ブレード１２は、長手方向の両端部の上方が緩やかに湾曲した円弧状をなし、この両端部は第１の凹部１５の内周側に形成された仕切り壁１７に到達していない。また、このブレード１２には、その長手方向の中途部に溝２０が設けられている。この溝２０は、流体１４が底板１１の長手方向に移動可能に設けられるものである。本実施の形態では、１つのブレード１２に所定間隔で２個の溝２０が形成されている。【００３６】
なお、この溝２０の個数は特に限定されない。また、本実施の形態では溝２０の断面形状は矩形状としているが、その形状も特に限定されない。断面は半円状でもよいし又は略Ｕ字状でもよい。さらに、本実施の形態では、この溝２０をブレード１２の上部（カバー１３側）に形成したが、これに限らず、下部（第１の凹部１５との対向側）に形成してもよい。【００３７】
この図４でも明らかなように、底板１１の内壁１５ａは、外周部１６に向けて次第に傾斜状に連続的に形成されている。このように、内壁１５ａを傾斜状に形成することで、流体１４の流れを円滑にし局部的に圧力が加わらないようにしている。カバー１３についても同様である。【００３８】
また、前述した仕切り壁１７は、ブレード１２の長手方向の両端部と第１の凹部１５の内壁１５ａとの間で、第１の凹部１５の内周側を囲むように底板１１から一体的に起立している。【００３９】
この仕切り壁１７は、流体１４が底板１１とカバー１３との溶着面１９、１９’（図１参照）に直接的に当接しないようにして、流体１４の漏出を防止する機能を有する。本実施の形態では、流体１４の漏れを防ぐのも重要なテーマなのである。【００４０】
例えば、凹部１５、２１内の流体１４は、歩行時につま先で地面を蹴り上げたときに圧力を伴って移動する。仕切り壁１７は、このときの高圧の流体１４が底板１１とカバー１３との溶着面１９、１９’を突き破って漏出するのを防止する役目を果たす。【００４１】
歩行時の体重移動がもたらす衝撃の強さは、常識でははかり知れないほど大きいからである。なお、本実施の形態では、仕切り壁１７の高さは、底板１１の外周部１６の上面と略同じ高さに設定している。【００４２】
ところで、歩く動作を考察してみると、足は踵の部分から着地し、土踏まずの外側へと接地面を広げ、足指の付け根のふくらみの部分（ボール部）に体重を乗せ終わると、横や縦へのふらつきを抑えるように足指は横へ広がる。次に、重心を前に移動させながらボール部から屈曲が始まり、踵の部分が浮き上がり、足指の全体で地面を蹴り上げる。このときに、本実施の形態の靴の中底１０の場合、内側に封入された流体１４が移動して着地衝撃を均等に吸収して和らげる。【００４３】
この点に関し、例えば容器内に封入された液体の一部に圧力を加えると、その圧力は容器内のあらゆる面に等しく伝わる（パスカルの法則）。これによって、本実施の形態の靴の中底１０を用いると、自身の体重以上の水圧がカバー１３の接触面の全てに均等に加わる。そして、複数のブレード１２の弾力を流体１４の移動により緩和している。【００４４】
図５は、カバー１３を図３のＶ方向から見た矢視図である。
前述したように、このカバー１３の第２の凹部２１は、底板１１の第１の凹部１５に対応して形成されている。この第２の凹部２１の外周には、内壁２１ａと溶着面（溶着予定面）１９’を介して外周部２２が形成されている。【００４５】
第２の凹部２１と外周部２２の平面形状は、底板１１の第１の凹部１５と外周部１６の形状に略等しい。また、この外周部２２の厚さは、肉盛り部２３を除いて底板１１の外周部１６の厚さと略同一である。【００４６】
また、カバー１３の表面には、図示しないが、必要に応じて凹凸模様、例えば畳状や梨地の模様が形成されている。これにより、カバー１３の上面に汗が水滴となって溜まるのを防止するとともに、水滴の拡散、蒸発を促進させることができる。【００４７】
底板１１とカバー１３とを溶着した後、夫々の第１の凹部１５と第２の凹部２１で囲まれた空間に注入口２５（図１参照）から流体１４を注入し、その後、注入口２５を溶着して流体１４を密封する。【００４８】
図６は、ブレード１２の全部又は一部を踵又はつま先に向けて傾斜させて歩行したシミュレーションを行ったときの、足裏に加わる圧力の変化を示す図である。
同図において、横軸は時間を示し、縦軸はその時に足裏に加わった圧力値（無次元）を示している。【００４９】
本実施の形態（実施の形態１）では、底板１１の長手方向と略直交する方向に対して、全てのブレード１２−１〜１２−１６をつま先に向けて一様に傾斜させ（曲線Ａ）、また、その傾斜角を変化させたものである（曲線Ｂ）。このときの足裏に加わる圧力の変化が、曲線Ａ（実線の太線）と曲線Ｂ（破線）で示されている。【００５０】
なお、曲線Ｅ（破線）は、比較例として、ブレード１２を底板１１の長手方向と略直交する方向に対し踵側に向けて一様に傾斜させたものである。また、曲線Ｃ（実線の細線）と曲線Ｄ（一点鎖線）については、実施の形態２、３で説明する。【００５１】
図のＰ１点は、歩行の際に足の踵が地面に着地する直前の足裏に加わる圧力であり、その後、Ｐ２点で踵での着地を終了する（体重が加わる）。次いで、Ｐ３点は踵からつま先側に体重移動している最中の足裏に加わる圧力であり、Ｐ４点はつま先で地面を蹴り上げたとき（体重が加わる）の圧力を示している。更に、つま先で地面を蹴り上げた後は、体重移動して次のステップの足の踵がＰ１点に向かう。これが、人が歩行するときの１サイクルを示している。【００５２】
ここで、曲線Ａは、底板１１に設けたブレード１２を、底板１１の長手方向と略直交する方向に対し角度α（例えば１０°）でつま先側に一様に傾斜させたときの足裏に加わる圧力を示したものである。【００５３】
また、曲線Ｂは、ブレード１２を、底板１１の長手方向と略直交する方向に対し角度θ（例えば４５°）（θ＞α）でつま先側に一様に傾斜させたときの足裏に加わる圧力を示したものである。【００５４】
なお、曲線Ｅは、ブレード１２を、底板１１の長手方向と略直交する方向に対し角度α（例えば１０°）で踵側に一様に傾斜させたときの足裏に加わる圧力の変化を示したものである。【００５５】
曲線Ａでは、踵で着地したときの圧力（Ｐ２点）が約３８０００（無次元）を示し、つま先で地面を蹴り上げたときの圧力（Ｐ４点）が６４０００を示している。これに対し、曲線Ｂでは、踵で着地したときの圧力（Ｐ２点）が約３５０００を示し、つま先で地面を蹴り上げたときの圧力（Ｐ４点）が５３０００を示している。【００５６】
これによれば、ブレード１２の傾斜角が小さい（角度α）曲線Ａの方が、傾斜角が大きい（角度θ）曲線Ｂの場合よりも、踵で着地したときの圧力（Ｐ２点）も大きく、また、つま先で蹴り上げたときの圧力（Ｐ４点）も大きい。【００５７】
これは、ブレード１２の傾斜角が小さい曲線Ａの方が、足裏に直接加わる圧力が大きくなるためと考えられる。
一方、曲線Ｅでは、踵で着地したときの圧力（Ｐ２点）が約３９０００（無次元）を示し、つま先で地面を蹴り上げたときの圧力（Ｐ４点）が６４０００を示している。【００５８】
すなわち、曲線Ｅは全体として曲線Ａとほぼ同じような曲線であるが、踵で着地したときの圧力（Ｐ２点）は曲線Ｅの方が曲線Ａよりも若干大きくなっている。また、つま先で地面を蹴り上げたときの圧力（Ｐ４点）は曲線Ｅと曲線Ａとは略等しくなっている。【００５９】
Ｐ２点の圧力が、曲線Ａよりも曲線Ｅの方が若干大きいのは、ブレード１２がつま先側に傾斜している場合（曲線Ａ）よりも、踵側に傾斜している場合（曲線Ｅ）の方が、足裏に直接加わる圧力が大きくなるためと考えられる。【００６０】
また、Ｐ４点の圧力は、曲線Ａと曲線Ｅとで略等しくなっている。
さらに、つま先で蹴り上げたときの圧力（Ｐ４点）と、踵で着地したときの圧力（Ｐ２点）との差は、曲線Ａの場合や曲線Ｅの場合よりも曲線Ｂの方が小さくなっている。【００６１】
この蹴り上げ時の圧力と着地時の圧力との差に関し、歩行の際には蹴り上げ時の圧力と着地時の圧力の差が小さい方が疲れにくく快適な歩行ができるといわれている。この観点からすると、ブレード１２をつま先側に向けて傾斜させたときの傾斜角度を、小さく（角度α）した場合よりもやや大きく（角度θ）した場合の方が望ましいことがわかる。【００６２】
これは、ブレード１２をつま先に向けて一様に傾斜配置すると、特につま先での蹴り上げ時に、ブレード１２の傾斜角の向きによって封入された流体１４には移動方向と逆方向の抵抗が付与され、つま先側から踵側への急激な流体１４の移動が抑制されるためと考えられる。【００６３】
すなわち、図６で示されるように、歩行する際の動作として、踵で地面に着地した後につま先で地面を蹴り上げるが、踵を踏む力は蹴り上げる力よりも小さい。このため、踵で着地した時に流体１４が踵側からつま先側へ移動する速度はむしろ小さい。一方、つま先で地面を蹴り上げたときの力は大きいため、蹴り上げ時に流体１４がつま先側から踵側へ移動する速度はきわめて大きい。【００６４】
しかし、本実施の形態（曲線Ａ及び曲線Ｂ）では、ブレード１２が一様につま先側に傾斜しているため、つま先で蹴り上げたときに流体１４がつま先側から踵側に移動する際、移動方向と逆方向の抵抗が流体１４に付与される。これにより、流体１４の移動速度は遅くなる。こうして、足裏に加わる圧力（特に蹴り上げるときの圧力）を緩和することができる。【００６５】
さらに、本実施の形態では、底板１１の第１の凹部１５（及びカバー１３の第２の凹部２１）の形状が足裏と相似に形成されている（図２参照）。このため、封入されている流体１４の容積は踵側よりもつま先側の方が大きい。よって、つま先で蹴り上げたときに、流体１４はつま先側から踵側に向けて大きな速度で移動しようとする。しかし、ブレード１２が一様につま先側に傾斜していて、このブレード１２により流体１４の移動時の抵抗力となるので、蹴り上げ時の流体１４の踵側への移動が抑制される。【００６６】
なお、現時点ではブレード１２の傾斜角の最適値を求めていない。これは、ブレード１２の傾斜角が変化すると、単に足裏に加わる圧力値のみでなく、他の要素（流体１４の流れの経路の変化や歩行しやすさ等）の影響も入り込んでくるため、総合的に考察する必要があるためである。【００６７】
また、本実施の形態では、本発明を靴の中底に適用した場合について説明したが、これに限らず、例えば靴底に直接適用してもよい。
本実施の形態によれば、全てのブレード１２−１〜１２−１６をつま先に向けて一様に傾斜配置したことで、特に蹴り上げたときの圧力が緩和され、踵から膝、又は腰などに加わる衝撃を吸収し、快適な歩行感を得ることができる。また、実際に足裏をマッサージするのはブレード１２が有する弾性力であるが、このブレード１２の弾性力を流体１４が緩和して足裏を刺激し、長時間継続して快適な歩行を可能ならしめることができる。
［実施の形態２］
図７は、実施の形態２における底板１１及びカバー１３を長手方向に切断した断面図である。なお、実施の形態１と同一又は相当する部材には同一の符号を付してその説明を省略する。【００６８】
本実施の形態では、ブレード１２を底板１１の長手方向の中央から踵まではつま先に向けて傾斜配置し、また、中央からつま先までは踵に向けて傾斜配置したものである。
すなわち、図７に示すように、底板１１の長手方向の中央から踵までの８枚のブレード１２−１〜１２−８は、底板１１の長手方向と略直交する方向に対し所定角度θ（例えば４５°）でつま先側に一様に傾斜配置され、また、中央からつま先までのブレード１２−９〜１２−１６は踵に向けて所定角度θ（例えば４５°）で一様に傾斜配置されている。【００６９】
前述した図６に示した曲線Ｃ（実線の細線）は、本実施の形態による足裏に加わる圧力の変化を示したものである。
この曲線Ｃによれば、踵で着地したときの圧力（Ｐ２点）が約３６０００を示し、つま先で地面を蹴り上げたときの圧力（Ｐ４点）が５３０００を示している。すなわち、蹴り上げ時の最大圧力と着地時の最大圧力の差は１７０００であり、図６の曲線の中で最も小さい。【００７０】
このため、本実施の形態においても疲れにくく快適な歩行が可能となる。
これは、踵で地面に着地したときは、踵側に封入された流体１４は踵から中央まで移動するが、中央からつま先側にわたって踵側に向けて一様に傾斜するブレード１２によって逆抵抗が加えられると考えられる。このため、踵側の流体１４は中央から踵までの間で往復移動することとなり、移動速度も小さいため、踵に加わる衝撃力が緩和される。【００７１】
次に、つま先で蹴り上げた時は、つま先側に封入された流体１４はつま先から中央まで移動するが、中央から踵側にわたってつま先側に向けて一様に傾斜しているブレード１２によって逆抵抗が加えられる。このため、つま先側の流体１４は中央からつま先までの間で往復移動することとなる。また、逆抵抗により移動速度も小さくなり、こうして、つま先に加わる衝撃力が緩和される。【００７２】
本実施の形態によれば、ブレード１２を底板１１の長手方向の中央から踵まではつま先に向けて一様に傾斜配置し、中央からつま先までは踵に向けて一様に傾斜配置したので、実施の形態１と同様に、封入された流体１４に対し移動方向と逆方向の抵抗が付与される。このため、急激な流体１４の移動が抑制される。
［実施の形態３］
図８は、実施の形態３における底板１１及びカバー１３を長手方向に切断した断面図である。なお、実施の形態１と同一又は相当する部材には同一の符号を付してその説明を省略する。【００７３】
本実施の形態では、ブレード１２を底板１１の長手方向の中央から踵までは踵に向けて傾斜配置し、また、中央からつま先まではつま先に向けて傾斜配置したものである。
すなわち、実施の形態２では、底板１１の長手方向の中央から踵までのブレード１２をつま先に向けて傾斜配置したが、本実施の形態では、中央からつま先までのブレード１２をつま先に向けて傾斜配置した点が相違している。【００７４】
図８に示すように、底板１１の長手方向の中央から踵までの８枚のブレード１２−１〜１２−８は、底板１１の長手方向と略直交する方向に対し所定角度θ（例えば４５°）で踵に向けて一様に傾斜配置され、また、中央からつま先までのブレード１２−９〜１２−１６は、所定角度θ（例えば４５°）でつま先に向けて一様に傾斜配置されている。【００７５】
前述した図６に示した曲線Ｄ（一点鎖線）は、本実施の形態による足裏に加わる圧力の変化を示したものである。
この曲線Ｄによれば、踵で着地したときの圧力（Ｐ２点）が約３３０００を示し、つま先で地面を蹴り上げたときの圧力（Ｐ４点）が５５０００を示している。すなわち、蹴り上げ時の最大圧力と着地時の最大圧力の差は２２０００である。【００７６】
この曲線Ｄによれば、曲線Ａの場合よりも蹴り上げ時と着地時の最大圧力の差が小さいため、実施形態１，２と同様に、疲れにくい快適な歩行が可能となることが期待される。
これは、つま先で蹴り上げた時は、つま先側に封入された流体１４は、中央からつま先側でつま先側に一様に傾斜しているブレード１２によって逆抵抗が加えられ、移動速度も小さくなって、つま先に加わる大きな衝撃力が緩和されるためと考えられる。【００７７】
また、踵で地面に着地したときは、踵側に封入された流体１４は、中央から踵まで当該踵に向けて一様に傾斜配置されたブレード１２によって逆抵抗が加わって移動速度が小さくなり、踵に加わる衝撃力が緩和されるためと考えられる。【００７８】
本実施の形態によれば、特に中央からつま先までのブレード１２をつま先に向けて一様に傾斜配置したため、つま先側の流体１４は、つま先側のブレード１２によってつま先側での蹴り上げ力による大きな衝撃力を緩和することができる。【００７９】
こうして、前述した各実施の形態と同様に、特につま先側に封入された流体１４は、つま先側で移動方向と逆方向の抵抗が付与され、急激な流体１４の移動が抑制される。これによって、足裏に加わる衝撃力を緩和することができる。
［実施の形態４］
図９Ａ，図９Ｂ、図１０Ａ，図１０Ｂは、本実施の形態における履物（紳士靴３０又は婦人靴４０）の外観図、分解斜視図である。【００８０】
本実施の形態では、履物の中底としての靴の中底１０を、紳士靴３０又は婦人靴４０の履物台３１、４１の上に挿抜自在に配置した場合について説明する。なお、靴の履物台３１、４１と中敷き３４，４４、及び靴の中底１０以外の部分は、本発明とは直接関係しないので、その説明は省略する。【００８１】
図９Ａは、踵のある紳士靴３０に、履き口３７から靴の中底１０と中敷き３４を挿入するときの全体斜視図、図９Ｂは、紳士靴３０の履物台３１と靴の中底１０、及び中敷き３４の分解斜視図である。【００８２】
紳士靴の履物台３１は、本底３２と中間底（中底）３３とを有している。なお、ヒール３６は、例えば独立した部品として複数枚の革を積層して作られている。本底３２は靴の底部であり、一般にクッション性の良い素材でできている。中間底３３は、中底ともいわれ、主として靴の剛性、耐屈曲性、衝撃吸収性を高めるために設けられるものである。本底３２と中間底３３とは、接着剤で貼り付けたり、糸で縫い付けたり、又は一体成形等により結合されている。また、中敷き３４は、例えば１枚の革でできている。【００８３】
本実施の形態では、中間底３３の上に、順次靴の中底１０と中敷き３４とが履き口３７から挿抜自在に配置されている。すなわち、靴の中底１０と中敷き３４は、顧客が自由に着脱できるように、接着等されることなく配置されている。なお、中敷き３４は１枚の革からなり、その上面には、製造者のブランド名等が表示された織ネーム３５が縫い付けられている。【００８４】
なお、実際の使用に際しては、顧客の好みに応じて中敷き３４を取り外して使用することもできる。この場合は、靴の中底１０が露出した状態で使用される。
図１０Ａは、踵のある婦人靴４０に、履き口４７から靴の中底１０と中敷き４４を挿入するときの全体斜視図、図１０Ｂは、婦人靴４０の履物台４１と靴の中底１０、及び中敷き４４の分解斜視図である。【００８５】
婦人靴４０の履物台４１は、本底４２と中間底（中底）４３とを有している。これらの本底４２、中間底４３、中敷き４４、ヒール４６、及び織ネーム４５については、前述した紳士靴３０の場合と略同様であるので、その説明を省略する。【００８６】
本実施の形態では、中間底４３の上に、順次靴の中底１０と中敷き４４とが履き口４７から挿抜自在に配置されている。すなわち、靴の中底１０と中敷き４４は、顧客が自由に着脱できるように、接着等されることなく配置されている。【００８７】
なお、実際の使用に際しては、顧客の好みに応じて中敷き４４を取り外して使用することもでき、この場合は、靴の中底１０が露出した状態で使用される。
また、本実施の形態では、靴の中底１０を紳士靴３０や婦人靴４０の履物台３１，４１の上に挿抜自在に配置した場合について説明したが、これに限らない。例えば、靴の中底１０をスポーツシューズ、スニーカー、ストラップ付き又はストラップ無しサンダル、業務用靴、スキー靴、ゴルフ靴、ハイキング靴、ウォーキング靴、ブーツ、長靴、上履き、草履、スリッパ、ソックス等、その他の履物に挿抜自在に配置することができる。履物台３１，４１の上部を覆う部分やストラップがあれば、靴の中底１０を挿抜自在に配置しても容易に離脱しないためである。【００８８】
本実施の形態によれば、靴の中底１０が紳士靴等の履物台３１，４１の上に挿抜自在に配置されているので、紳士靴等への装着が簡単である。また、例えば歩行時の衝撃吸収と足裏マッサージ効果を高めたい場合等には、中敷き３４、４４を取り外して使用することができる。同様に、この靴の中底１０により、立位における足・膝等への負担を軽減することができる。
［実施の形態５］
図１１Ａ〜図１１Ｃ、図１２Ａ〜図１２Ｃは、それぞれ本実施の形態における履物（紳士靴５０又は婦人靴６０）の外観図、分解斜視図、裏面図である。【００８９】
本実施の形態では、履物の中底としての靴の中底１０を、紳士靴５０又は婦人靴６０の履物台５１、６１に接着し一体化した場合について説明する。なお、履物台５１、６１と中敷き５４，６４、及び靴の中底１０以外の部分は、本発明とは直接関係しないので、その説明は省略する。【００９０】
図１１Ａは、踵のない紳士靴５０の履物台５１（本底５２を有している）に靴の中底１０を一体的に固定した状態の全体斜視図、図１１Ｂは、履物台５１と靴の中底１０、及び中敷き５４の分解斜視図、図１１Ｃは、靴の中底１０を中敷き５４で包んで接着剤で止めた状態の裏面図である。【００９１】
紳士靴５０の履物台５１は、本底５２を有している。本底５２は靴の底部であり、例えばウレタン材等のクッション性の良い素材でできている。また、中敷き５４は、例えば１枚の革でできている。【００９２】
本実施の形態では、靴の中底１０を中敷き５４で包み込んで一体的に固定し、この一体固定した靴の中底１０と中敷き５４とを本底５２の上に固定した。すなわち、靴の中底１０の表面１０ａ、側面１０ｃ、及び裏面１０ｂの外周部を中敷き５４で包み込み、中敷き５４の外周部の内側に塗布された接着剤により一体的に接着した（図１１Ｃ参照）。【００９３】
さらに、こうして一体化された靴の中底１０及び中敷き５４と、本底５２とを、中敷き５４の外周部と靴の中底１０の裏面１０ｂに塗布された接着剤により一体的に接着した。この場合、被接着部分に圧力を付与しつつ接着（圧着）するとよい。このようにして、中敷き５４の下側に靴の中底１０を接着し一体化する。これにより、靴の中底１０がみだりに移動したり離脱したりするのが防止される。【００９４】
なお、本実施の形態では、靴の中底１０と中敷き５４、及び中敷き５４と本底５２とを接着剤で接着した場合について説明したが、これに限らない。例えば、糸で縫いつけても良いし、溶着等の手段により結合してもよい。また、靴の中底１０、中敷き５４、及び本底５２の相互間を外周部に塗布した接着剤で接着した場合について説明したが、例えば、対向する全域に接着剤を塗布して接着してもよい。さらに、靴の中底１０の表面１０ａの外周部と、中敷き５４との間に接着剤を塗布し、両者を接着してもよい。【００９５】
また、本実施の形態では、靴の中底１０を中敷き５４で包み込んだ場合について説明したが、これに限らない。例えば、靴の中底１０の側面１０ｃが露出するように接着してもよい。【００９６】
なお、中敷き５４の外周部の内側には略等間隔に複数の裂け目５４ａが形成されているが、これは、外周部の外周と内周の長さを調整するためである。また、中敷き５４の表面（靴の中底１０の接着面と反対側）には、製造者のブランド名等が表示された織ネーム５５が縫い付けられている。【００９７】
図１２Ａは、踵のない婦人靴６０に靴の中底１０を一体的に固定した状態の全体斜視図、図１２Ｂは、履物台６１と靴の中底１０、及び中敷き６４の分解斜視図、図１２Ｃは、靴の中底１０を中敷き６４で包んで接着剤で止めた状態の裏面図である。【００９８】
婦人靴６０の履物台６１は、本底６２と中間底６３を有している。
なお、本底６２、中間底６３、中敷き６４、ヒール６６、及び織ネーム６５については、前述した紳士靴３０の場合と同様であるので、その説明を省略する。【００９９】
本実施の形態では、順次中間底６３、靴の中底１０、及び中敷き６４が一体的に固定され、これら一体固定された中間底６３、靴の中底１０、及び中敷き６４が、本底６２の上に固定されている。この場合、靴の中底１０の裏面１０ｂと中間底６３の表面６３ａとの間に接着剤を塗布して合体したものを、中敷き６４で包み込むようにする。すなわち、靴の中底１０と中間底６３とを合体させた状態で、靴の中底１０の表面１０ａ、側面１０ｃ、及び中間底６３の裏面６３ｂの外周部を中敷き６４で包み込む。また、こうして一体化された靴の中底１０、中敷き６４、及び中間底６３を、中敷き６４の外周部と靴の中底１０の裏面１０ｂに塗布された接着剤により接着した（図１２Ｃ参照）。この場合、被接着部分に圧力を付与しつつ接着（圧着）するとよい。【０１００】
さらに、中敷き６４、靴の中底１０と一体化された中間底６３と、本底６２とを、中間底６３の裏面６３ｂと中敷き６４の外周部に塗布された接着剤により一体的に固定した。
なお、本実施の形態では、靴の中底１０と中間底６３、及び中間底６３と本底６２を接着剤で接着した場合について説明したが、これに限らない。例えば、これらを糸で縫いつけても良いし、溶着等の手段により結合してもよい。また、靴の中底１０の表面１０ａの外周部と、中敷き６４との間に接着剤を塗布し、両者を接着してもよい。【０１０１】
これにより、靴の中底１０を、中敷き６４の下側に接着し一体化することで、靴の中底１０がみだりに移動したり離脱したりするのが防止される。なお、本実施の形態では、靴の中底１０を中敷き６４で包み込んだ場合について説明したが、これに限らない。例えば、靴の中底１０の側面１０ｃが露出するように接着してもよい。【０１０２】
なお、中敷き６４の外周部の内側には略等間隔に複数の裂け目６４ａが形成されているが、これは、中敷き６４の外周部の外周と内周の長さを調整するためである。また、中敷き６４には織ネーム６５が縫い付けられている。【０１０３】
本実施の形態では、靴の中底１０を紳士靴５０や婦人靴６０の履物台５１、６１に一体的に固定した場合について説明したが、これに限らない。例えば、靴の中底１０をスポーツシューズ、スニーカー、ストラップ付き又はストラップ無しサンダル、業務用靴、スキー靴、ゴルフ靴、ハイキング靴、ウォーキング靴、ブーツ、長靴、上履き、草履、スリッパ、ソックス等、その他の履物にも一体的に固定して使用することができる。【０１０４】
本実施の形態によれば、靴の中底１０が紳士靴５０や婦人靴６０の履物台５１，６１に一体的に固定されているので、靴の中底１０がみだりに移動したり露出することがない。このため、外部から一見しただけでは、紳士靴５０や婦人靴６０に靴の中底１０を装着していることが知られることはない。こうして、紳士靴５０や婦人靴６０の履物台５１，６１に接着し一体化した靴の中底１０により、長期間に亘って歩行時の衝撃吸収と足裏マッサージ効果を得ることができる。同様に、この靴の中底１０により、立位における足・膝等への負担を軽減することができる。
【図１】
2010023793.tif 000003
【図２】
2010023793.tif 000004
【図３】
2010023793.tif 000005
【図４】
2010023793.tif 000006
【図５】
2010023793.tif 000007
【図６】
2010023793.tif 000008
【図７】
2010023793.tif 000009
【図８】
2010023793.tif 000010
【図９Ａ】
2010023793.tif 000011
【図９Ｂ】
2010023793.tif 000012
【図１０Ａ】
2010023793.tif 000013
【図１０Ｂ】
2010023793.tif 000014
【図１１Ａ】
2010023793.tif 000015
【図１１Ｂ】
2010023793.tif 000016
【図１１Ｃ】
2010023793.tif 000017
【図１２Ａ】
2010023793.tif 000018
【図１２Ｂ】
2010023793.tif 000019
【図１２Ｃ】
2010023793.tif 000020
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
底板と、
前記底板から一体的に起立する複数のブレードと、
前記底板の外周に接合されたカバーと、
前記底板と前記カバーとの間に封入された流体とを有し、
前記底板の前記ブレード起立面には足裏に相当する形状の第１の凹部が形成され、当該第１の凹部内に前記複数のブレードが収容された靴の中底において、
前記複数のブレードを前記底板の長手方向と略直交する方向に所定間隔で整列配置し、当該複数のブレードの少なくとも一部をつま先に向けて傾斜配置することによって、つま先で蹴り上げたときの、上記流体のつま先から踵側への移動を抑制する
ことを特徴とする靴の中底。
【請求項２】
前記ブレードを前記底板の長手方向の中央から踵まではつま先に向けて傾斜配置し、中央からつま先までは踵に向けて傾斜配置した
ことを特徴とする請求項１に記載の靴の中底。
【請求項３】
前記ブレードを前記底板の長手方向の中央から踵までは当該踵に向けて傾斜配置し、中央からつま先までは当該つま先に向けて傾斜配置した
ことを特徴とする請求項１に記載の靴の中底。
【請求項４】
前記ブレードの夫々の長手方向の中途部に前記流体が移動可能な溝を形成した
ことを特徴とする請求項１〜３のいずれかに記載の靴の中底。
【請求項５】
前記ブレードの長手方向の両端部と前記第１の凹部の内壁との間で、この第１の凹部の内周側を囲むように前記底板から一体的に起立する仕切り壁を設けた
ことを特徴とする請求項１に記載の靴の中底。
【請求項６】
前記底板の外周で前記カバーとの接合部に肉盛り部を設けた
ことを特徴とする請求項１に記載の靴の中底。
【請求項７】
前記肉盛り部を用いて前記底板と前記カバーとを略均一の幅で溶着した
ことを特徴とする請求項６に記載の靴の中底。
【請求項８】
前記第１の凹部とその外周部とは段差を有し、前記カバーに形成された第２の凹部とその外周部とは段差を有し、前記第１の凹部と前記第２の凹部とは対向し、前記第１の凹部の外周部と前記第２の凹部の外周部とを溶着した
ことを特徴とする請求項１に記載の靴の中底。
【請求項９】
前記第１の凹部とその外周部との境界、及び前記第２の凹部とその外周部との境界、には傾斜面が形成されている
ことを特徴とする請求項８に記載の靴の中底。
【請求項１０】
前記流体はプロピレン・グリコールである
ことを特徴とする請求項１又は４に記載の靴の中底。
【請求項１１】
履物台に配置され、底板と、前記底板から一体的に起立する複数のブレードと、前記底板の外周に接合されたカバーと、前記底板と前記カバーとの間に封入された流体とを有し、前記底板の前記ブレード起立面には足裏に相当する形状の第１の凹部が形成され、当該第１の凹部内に収容された前記複数のブレードを、前記底板の長手方向と略直交する方向に所定間隔で整列配置し、当該複数のブレードの少なくとも一部をつま先に向けて傾斜配置することによって、つま先で蹴り上げたときの、上記流体のつま先から踵側への移動を抑制する履物の中底を備えている
ことを特徴とする履物。
【請求項１２】
前記履物台は、本底と中間底を有し、
前記中間底の上に、順次前記履物の中底と中敷きを挿抜自在に配置した
ことを特徴とする請求項１１に記載の履物。
【請求項１３】
前記履物台は、本底を有し、
前記履物の中底の上に中敷きを一体に固定して、前記本底の上に固定した
ことを特徴とする請求項１１に記載の履物。
【請求項１４】
前記履物台は、本底と中間底を有し、
順次前記中間底と前記履物の中底、及び中敷きを一体的に固定し、前記本底の上に固定した
ことを特徴とする請求項１１に記載の履物。
【国際調査報告】
2010023793.tif 000021
2010023793.tif 000022
2010023793.tif 000023
2010023793.tif 000024